(57)【要約】【課題】気筒毎に１つの点火プラグと、少なくとも２つ以上の一次コイルと１つ以上の二次コイルを有し、それぞれの一次コイルを独立して制御することができる点火コイルとを備えた点火制御装置において、一方の一次コイル側に異常があった場合、従来の失火診断装置では失火検出が難しく、点火要求の高い領域における燃焼が良好に行えない恐れがある。【解決手段】気筒毎に１つの点火プラグと、少なくとも２つ以上の点火コイルとを備えた内燃機関の点火制御装置において、前記内燃機関の運転状態が、前記少なくとも２つ以上の点火コイルのうち１つの点火コイルのみを使用する点火領域にあるとき、内燃機関が要求する点火時期に合わせて、少なくとも２つ以上の点火コイルのうちから予め定められた規則に従って選ばれる一つの点火コイルに対して通電を行う通電信号を出力することを特徴とする点火制御装置。【選択図】  図６
2011069232.tif 000002
【特許請求の範囲】
【請求項１】
一次コイルと二次コイルの組である点火コイルを少なくとも２つ以上備えた点火コイル本体、または２つ以上の一次コイルと一つの二次コイルとを備えた点火コイル本体のいずれかを気筒毎に備えた内燃機関の点火制御装置において、
前記内燃機関の運転状態が、少なくとも２つ以上の前記一次コイルのうち１つの一次コイルのみを使用する点火領域にあるとき、
前記内燃機関が要求する点火時期に合わせて、少なくとも２つ以上の一次コイルのうちから予め定められた規則に従って選ばれる一つの一次コイルに対して通電を行うための信号を出力することを特徴とする点火制御装置。
【請求項２】
前記一次コイルの数が２つの場合には、予め定められた規則は、２つの一次コイルに対して所定サイクル毎に交互に通電を行うように信号を出力することを特徴とする請求項１記載の点火制御装置。
【請求項３】
前記点火制御装置は、
失火を検出する失火検出手段と、
使用した一次コイル毎に失火回数を記録する記憶手段と、
失火回数が予め設定された所定値以上となった場合、失火回数が前記所定値以上となった一次コイルに異常があると判定する診断手段と、
を有することを特徴とする請求項１記載の点火制御装置。
【請求項４】
前記内燃機関は、
気筒毎に１つの点火プラグと、少なくとも２つ以上の一次コイルと１つ以上の二次コイルを有し、それぞれの一次コイルを独立して制御することができる点火コイルとを備え、
前記点火制御装置は、
点火コイルの診断を実施する点火コイル診断モードを有し、
前記点火コイル診断モードは第１点火時期と前記第１点火時期より遅角側に設定された第２点火時期を有し、
前記点火コイル診断モード中は、各一次コイルに対する点火時期が予め設定された所定の燃焼サイクル毎に第１点火時期と第２点火時期とに切り替えることで、失火を検出することを特徴とする請求項３記載の点火制御装置。
【請求項５】
前記失火検出手段が、失火を検出した場合、先に点火を行った一次コイル毎に失火回数を記録し、失火回数が所定値以上となった場合、失火回数が前記所定値以上となった一次コイルに異常があると判定することを特徴とする請求項４記載の点火制御装置。
【請求項６】
請求項４の点火制御装置において、一次コイルの異常を特定した場合、前記点火コイル診断モードを直ちに中断することを特徴とした点火制御装置。
【請求項７】
請求項３から請求項６の点火制御装置において、一次コイルの異常を特定した場合、異常が特性された一次コイルの使用を禁止することを特徴とした点火制御装置。
【請求項８】
請求項３から請求項７の点火制御装置において、一次コイルの異常を特定した場合、２つ以上の一次コイルを使用する点火強化領域における内燃機関の運転を禁止することを特徴とした点火制御装置。
【請求項９】
請求項３から請求項８の点火制御装置において、一次コイルの異常を特定した場合においても、異常のある一次コイルが備わる気筒が予め設定された特定気筒の場合、２つ以上の一次コイルを使用する点火強化領域における内燃機関の運転を継続することを特徴とした点火制御装置。
【請求項１０】
請求項３から請求項８の点火制御装置において、一次コイルの異常を特定した場合、２つ以上の一次コイルを使用する点火強化領域を成立させる内燃機関の制御量を制限することで、２つ以上の一次コイルを使用する内燃機関の運転条件または運転領域を制限することを特徴とした点火制御装置。
【発明の詳細な説明】
【技術分野】
【０００１】
本発明は、内燃機関の点火制御装置に関する。
【背景技術】
【０００２】
火花点火式の内燃機関では、着火性や燃焼安定性の向上を目的として、１気筒毎に複数の点火コイルを備えた内燃機関が公知である。例えば、特許文献１では、１気筒に対して、１本の点火プラグと２本の点火コイルを備え、成層燃焼において、燃料噴射弁により噴射された燃料噴霧が点火プラグ周りに作る混合気塊の状態により点火間隔を変化させる技術が開示されている。すなわち、一本の点火プラグと二本の点火コイルを備えた点火装置について、双方の点火コイルを使用する際の制御に関しての開示がある。
【先行技術文献】
【特許文献】
【０００３】
【特許文献１】特許３７６７３８３号公報
【発明の概要】
【発明が解決しようとする課題】
【０００４】
一方、火花点火式内燃機関を運転するに当たっては、常に双方の点火コイルを用いる必要はなく、例えば均質ストイキ燃焼時などの比較的、点火要求が低い領域で運転する場合には、一方の点火コイルのみを用いて点火を行えばよい場合がある。
【０００５】
本発明の目的は、一本の点火プラグと二本の点火コイルを有する点火装置において、一方の点火コイルのみを使用する場合に必要な制御を行う点火制御装置を提供することである。
【課題を解決するための手段】
【０００６】
気筒毎に１つの点火プラグと、一次コイルと二次コイルの組である点火コイルを少なくとも２つ以上備えた点火コイル本体または２つ以上の一次コイルと一つの二次コイルとを備えた点火コイル本体のいずれかを備えた内燃機関の点火制御装置において、
前記内燃機関の運転状態が、少なくとも２つ以上の前記一次コイルのうち１つの一次コイルのみを使用する点火領域にあるとき、
前記内燃機関が要求する点火時期に合わせて、少なくとも２つ以上の一次コイルのうちから予め定められた規則に従って選ばれる一つの一次コイルに対して通電を行う信号を出力することを特徴とする点火制御装置である。
【０００７】
また、一次コイルが２つの場合には、２つの一次コイルに対して内燃機関が要求する点火時期に合わせて交互に通電する。
【発明の効果】
【０００８】
本発明によれば、少なくとも２つ以上の点火コイルのうちから予め定められた規則に従って選ばれる一つの点火コイルに通電を行うので、従来の失火検出手段を用いて、複数ある点火コイルのいずれが故障したのかを診断することができる。
【図面の簡単な説明】
【０００９】
【図１】従来の点火制御に関する説明図。
【図２】本発明における点火コイルの構成図。
【図３】本発明の点火コイルを用いた点火制御の一例。
【図４】本発明にかかる一実施例のフローチャート。
【図５】本発明にかかる一実施例のフローチャート。
【図６】本発明にかかる一実施例のフローチャート１。
【図７】本発明にかかる一実施例のフローチャート２。
【図８】本発明にかかる一実施例のフローチャート。
【図９】本発明にかかる一実施例のフローチャート。
【図１０】本発明にかかる一実施例のフローチャート。
【図１１】本発明にかかる一実施例のフローチャート。
【図１２】本発明にかかる一実施例のフローチャート。
【図１３】本発明にかかる一実施例の強化点火領域の一覧図。
【図１４】本発明にかかる一実施例のフローチャート。
【発明を実施するための形態】
【００１０】
以下、本発明を実施するための実施例を説明する。
【実施例１】
【００１１】
本発明の実施例１について説明として、まず、基本的な点火制御と点火に関わる電気エネルギについての説明を行う。図１は点火制御に関わるタイミングチャートであり、気筒毎に点火コイル１本と点火プラグ１本を備えた従来式の内燃機関の点火制御装置に関するものである。図内一番上は、コントロールユニット（図示せず）から出力される点火信号（１０１）である。点火信号（１０１）は、通常、Ｌｏｗレベルとなっており、点火コイル内の一次コイルへ電気エネルギを充電（充填）するため、Ｈｉｇｈレベルとなる。点火コイルの特性やバッテリ電圧、内燃機関の回転速度などからＨｉｇｈレベルを維持する期間が決まり、これを通電時間（１０６）と呼ぶ。点火信号（１０１）が再び、Ｌｏｗレベルとなったタイミングで、点火プラグから火花が放電され、内燃機関内の燃焼室では、この火花を元に燃焼が行われる。このタイミングのことを一般的に点火時期（１０７）と呼ぶ。次に一次電流について説明する。図１内上から２番目の一次電流（１０２）は、図の上方向になるほど、電流値が高くなることを指し、電流値が高くなるほど、一次コイル内に電気エネルギが多く充電されていることを指す。この充電に伴う一次電流の上昇曲線は、一次コイルの内部インダクタンスに依存しており、インダクタンスが大きいと充電に伴う電流値の上昇が遅れる（同電流値を得るまでに要する時間がかかる）が、大きな電流を溜めることができる。また、通常、点火コイルには電流制限の回路が備わっており、例えば、通電時間（１０６）を図内の時間より更に長くし、充電される一次電流（１０２）の値を大きくしようとしても、ある一定量の電流値に到達した時点で、これ以上一次コイルへ電流を充電することができない仕組みとなっている。点火時期を迎えた瞬間には、一次電流（１０２）は急激に降下するが、これは、一次コイルへの充電が遮断されると同時に、一次コイル内に充電された電気エネルギが二次コイルへ移動したことを指す。尚、一次電流（１０２）が遮断される直前に最大となる値のことを一次遮断電流（１０８）という。一次コイルから二次コイルへ移動した電気エネルギは、図１内の上から３番目が二次電圧（１０３）と図２の上から４番目の二次電流（１０４）として消費される。二次電圧（１０３）と二次電流（１０４）は、図の下方向になるほど、値が大きくなることを示す。点火コイルが供給できる二次電圧は、一次コイルに印加された電圧と一次コイルの巻き数と二次コイルの巻き数の比（巻数比）などから決まるが、基本的に点火プラグから電気エネルギが放電される二次電圧は内燃機関の運転条件などから要求（以下、要求二次電圧）が決まる。即ち点火コイルは前記要求二次電圧を満たすエネルギを供給できる能力がなければならない。万が一、この前記要求二次電圧と点火コイルが供給できる二次電圧が逆転した場合、点火プラグから火花が放たれず、結果的に失火を招くことになる。これに対し、二次電流（１０４）については、点火コイル内部の抵抗値や二次コイルのインダクタンスなどから決定され、放電直後に最大（二次電流ピーク値１１０）となり、時間の経過とともに低くなる傾向がある。また、二次電流（１０４）は火花の放電が継続する時間＝放電持続時間（１０９）と密接な関係性があり、同一の放電エネルギである点火コイル同士で比較した場合、放電持続時間（１０９）が長くなる性質の点火コイルほど、二次電流ピーク値（１１０）は低くなり、逆に放電持続時間（１０９）が短くなる性質の点火コイルほど、二次電流ピーク値（１１０）は高くなる。電気エネルギが点火プラグにて消費される形態（以下、放電パターン１０５）は、前記放電エネルギの変化で確認することができる。前記放電エネルギは、二次電圧×二次電流の積分値で求めることができるため、図１内では、斜線の面積（放電エネルギ１１１）がこれに当たる。この前記放電エネルギ（１１１）の面積が大きいほど、内燃機関の燃焼状態が悪い場合に燃焼安定性の向上などに効果が期待できる。
【００１２】
次に、本実施例に関わる気筒毎に１つの点火プラグと、少なくとも２つ以上の一次コイルと１つ以上の二次コイルを有し、それぞれの一次コイルを独立して制御することができる点火コイルとを備えた点火制御装置について、説明を行う。図２は、本発明に用いる点火コイルの構成の一例を表した図である。図２において点線で囲まれた領域は、点火コイル本体２０１を指し、点火コイル本体（２０１）には、電源（２０２），ＧＮＤ（２０５）及びコントロールユニット（図示せず）内で生成された点火信号がライン２０３とライン２０４により供給される。点火コイル本体（２０１）の内部は、一次コイル（２０６ａ，２０６ｂ）と、二次コイル（２０７ａ，２０７ｂ）がそれぞれ１つずつの組合せで計２つ備わり、それぞれの二次コイル（２０７ａ，２０７ｂ）は、点火コイル本体（２０１）の外部に備わる点火プラグ（２０９）と並列に接続される。ここでは、一次コイルと二次コイルの組を点火コイルと呼ぶ。また、一次コイル（２０６ａ，２０６ｂ）のスイッチングを目的としたトランジスタＩＣ（２０８ａ，２０８ｂ）も２ヶ備わる。概述の説明通り、点火信号に基づき点火コイルは、点火プラグへ電気エネルギを供給するが、この構成の点火コイル本体（２０１）では、点火信号が、それぞれの一次コイル（２０６ａ，２０６ｂ）に対し、個別に供給されるため、独立したタイミングで、それぞれの二次コイル（２０７ａ，２０７ｂ）から、電気エネルギが供給されることになる。尚、本図では、一次コイルを２つと二次コイルを２つの構成と一例として記載したが、特に一次コイルと二次コイルの数量に制限はなく、また、一次コイルが２つに対し二次コイルが１つの構成についても、トランジスタＩＣ（２０８ａ，２０８ｂ）が一次コイル（２０６ａ，２０６ｂ）の数量と同数分、備わっていれば、基本的な動作原理は同じとなる。よって、本発明では、一方の一次コイルに関する異常を特定するが、本図の様に一次コイルと二次コイルが同数備わる点火コイルの場合、一次コイルの異常とは、異常のある一次コイルと対になる二次コイルを含めた異常の特定となる。
【００１３】
図３は、図２の構成となる点火コイルを使用した例を示したタイミングチャートである。一次コイル（２０６ａ，２０６ｂ）へ点火信号ａ３０１と点火信号ｂ３０２は個別に供給される。図３内の上から３，４番目に記載しているのが、放電エネルギであり、それぞれ、点火信号ａ（３０１）の放電エネルギａが３０３となり、点火信号ｂ（３０２）の放電エネルギｂが３０４となる。更に、図２の構成となる点火コイルでは、二次コイル２０７ａと二次コイル２０７ｂは点火プラグ（２０９）に対し、並列に接続されるため、実際の放電エネルギは、図３内の合成放電エネルギ（３０５）のようになる。詳細を説明すると、まず、点火時期Ａ（３０６）では、点火信号１（３０１）のみが点火を行う様になっており、放電エネルギ１（３０３）と合成放電エネルギ（３１０）は同じ値（図内では、同じ面積）となる。点火時期Ｂ（３０７）では、点火信号ａ（３０１）と点火信号ｂ（３０２）が同時に点火する様になっており、二次コイル２０７ａ，二次コイル２０７ｂから供給される放電エネルギは（３０３，３０４）となり、この際の合成放電エネルギ（３０５）は、双方の放電エネルギ（３０３，３０４）を足した値（３１１）となる。次に点火時期Ｃ（３０８）は、点火信号ａ（３０１）の点火時期となり、点火時期Ｄ（３０９）は点火信号ｂ（３０２）の点火時期である。この場合の合成放電エネルギは、足した値３１１のようになり、双方の一次コイルから供給された放電エネルギに位相を持たせた上で、消費することができる。
【００１４】
図４は、本実施例の点火制御装置におけるフローチャートの一例である。まず、Ｓ４０１にて内燃機関の運転領域が前記通常点火領域であるか前記点火強化領域であるかの判断を行う。この判断については、内燃機関の制御パラメータ（内燃機関の回転数，負荷，点火時期，燃料噴射時期，燃料噴射量，空燃比，吸気弁または排気弁の作動角の中心位相差，ＥＧＲ量＝ＥＧＲ率，吸気弁のリフト量etc.）に基づき、判断する。Ｓ４０１で前記点火強化領域であると判断された場合、制御はＳ４０２へ進む。Ｓ４０２では、図３内の３１１又は３１２の様に複数の一次コイルを用いて放電エネルギ強化が行える制御を行う。Ｓ４０１で前記通常点火領域と判断した場合、Ｓ４０３のステップに進む。Ｓ４０３では、図３内の３１０を基本とする一方の一次コイルのみを用いた点火を行うが、点火コイル本体内に２つ以上備わる一次コイルを交互に使う様にしている。詳しくは、Ｓ４０４にて、点火コイル本体内に２つ以上備わる一次コイルから使用する一次コイルを決定する。その後、Ｓ４０５で、予め設定した所定の燃焼サイクル数と燃焼サイクル数を毎回カウントするカウンタの値から、所定の燃焼サイクル数が経過したかを判断する。所定の燃焼サイクル数が経過していなければ、Ｓ４０７にて従来の点火制御を行う（図１にて概述）。所定の燃焼サイクル数が経過した場合、Ｓ４０６にて、先に使用した一次コイルとは別の一次コイルを使用する様にする。
【００１５】
点火コイルが２つの場合は以上のようになるが、点火コイルが２つ以上あるような場合には、全ての点火コイルに一度は点火する機会を与えるように定めた規則に従って、順に点火信号を制御装置から出力することで、本発明の作用効果を奏することができる。すなわち、従来の失火検出手段を用いて、いずれの点火コイルに故障が存在するかを診断することができる。
【００１６】
尚、説明が前後するが、燃焼サイクル数とは、吸気行程→圧縮行程→膨張行程→排気行程までの期間を燃焼サイクル＝１と定義する。よって、点火コイルを２つ、予め定める規則を「燃焼サイクル数が１サイクルで点火するコイルを切り替える」と設定した場合、点火制御上では、点火１回毎に使用する一次コイルが変わることになり、１００サイクルと設定すれば、点火１００回毎に使用する一次コイルが切り替わることを指す。また、燃焼サイクル数の設定については特に規定はしないが、内燃機関の燃焼では、混合気の状態ばらつきや吸入空気量などに起因するばらつきなど所謂、燃焼のサイクルばらつきがあるため、燃焼サイクル数が少ない場合、点火コイルに起因する失火であるかの検出精度が低くなる恐れがあるため、一定の燃焼サイクル数毎で、使用する一次コイルが切り替わる方が望ましい。これにより、従来の前記失火診断装置においても、失火を検出することができるため、一方の一次コイルを使用した場合のみ失火が発生したとすると、失火に起因する一次コイルを特定することができる。また、燃料系の故障診断装置を備える内燃機関の制御装置であれば、燃料系の故障診断装置から異常が検出されない場合、点火系の異常である可能性が高い。点火系の中でも、仮に点火プラグに異常がある場合、使用する一次コイルが変わっても前記失火診断装置から失火の検出が継続するため、更に高精度に点火コイルの異常を検出することができる。
【００１７】
さらに、複数ある点火コイルのうちひとつの点火コイルを集中して使用する場合に比べ、この点火制御を行うことにより、点火コイル本体内に２つ以上備わる一次コイルの使用頻度を均等に保つことができるため、使用頻度の偏りが少なくなり、一次コイルまたはスイッチングを行うトランジスタＩＣなどの信頼性が向上する効果を得ることができる。
【００１８】
図５は、本実施例におけるフローチャートの一例である。まず、Ｓ５０１では、前記失火診断装置により失火の検出が行われるが、失火の検出については、前述の点火制御装置による点火コイルの制御が行われることが前提である。Ｓ５０１にて失火が検出された場合、Ｓ５０２に進み、失火が発生した前記燃焼サイクルで使用した一次コイルを特定する。次にＳ５０３は、各一次コイル毎に備わるカウンタにより、失火回数がカウントアップされ、Ｓ５０４で、そのカウンタ値（失火回数）が予め設定された所定値以上になった否かを判断する。Ｓ５０４で所定値以上であると判断した場合は、Ｓ５０５により、該当する一次コイル側に異常があると判断する。
【００１９】
図６は、本実施例に関するフローチャートの一例である。まず、Ｓ６０１は、図４のＳ４０１同様に内燃機関の運転領域が前記通常点火領域であるか前記点火強化領域であるかの判断を行う。Ｓ６０１で前記点火強化領域であると判断された場合、制御はＳ６０２へ進み、図３の足した値３１１又は３１２の様に複数の一次コイルを用いて放電エネルギ強化が行える制御を行う。Ｓ６０１で前記通常点火領域と判断した場合は、Ｓ６０３のステップに進み、予め設定された条件に基づき、点火コイルの診断を行う点火コイル診断モードを行うかの判断をする。Ｓ６０３で、点火コイルの診断を行うと判断した場合は、Ｓ６０４の点火コイル診断モードに進み、点火コイルの診断を行わない場合は、Ｓ６０５において、図３内の３１０を基本とする一方の一次コイルのみを用いた点火を行う。
【００２０】
次に図７を用いて、図６内Ｓ６０４の点火コイル診断モードの詳細について、説明を行う。尚、これ以降の説明では、便宜上、点火コイル本体２０１内に２つ以上備わる一次コイルについては２つ備わることとし、一方の一次コイルを一次コイルＡ，もう一方の一次コイルを一次コイルＢとして説明を行う。Ｓ７０１では、予め設定された第１点火時期を一次コイルＡの点火時期として設定し、Ｓ７０２では、第２点火時期を一次コイルＢの点火時期として設定する。Ｓ７０３では、予め設定された所定の燃焼サイクル数が経過したかを判断するが、これは図４内のＳ４０５と同じ制御になるため、説明を省略する。Ｓ７０３で所定の燃焼サイクルが経過した場合、Ｓ７０４にて一次コイルＡの点火時期が第２点火時期となり、続いて、Ｓ７０５において、一次コイルＢの点火時期が第１点火時期となる。その後、Ｓ７０６により点火信号が生成されるが、この際の点火時期については図３内における点火時期Ｃ（３０８）と点火時期Ｄ（３０９）の関係になる。但し、所定の燃焼サイクル数が経過することにより一次コイルＡと一次コイルＢの点火時期は入れ替わるため、言い換えると、先に点火を開始する一次コイルが所定の燃焼サイクル数毎に入れ替わることになる。概述であるが、燃焼サイクル数の設定については特に規定はしないが、内燃機関の燃焼では、混合気の状態ばらつきや吸入空気量などに起因するばらつきなど所謂、サイクルばらつきがあるため、燃焼サイクル数が少ない場合、点火コイルに起因する失火の検出精度が低くなる恐れがあるため、一定の燃焼サイクル数毎で、使用する一次コイルが切り替わる方が望ましい。これにより、先に点火をした一次コイルがなんらかの事情により放電しない場合でも、続けてもう一方の一次コイルから電気エネルギが遅れて供給されるため、失火を防止することができる。また、先に点火を行った一次コイルに異常がある場合、後から点火を行う一次コイルの点火時期に応じて、内燃機関の回転速度の変動やトルク変動，筒内圧の低下などが発生するため、従来の前記失火診断装置において、失火を検出することができる。
【００２１】
図８は、本発明にかかる実施例におけるフローチャートの一例である。まず、Ｓ８０１では、前記失火診断装置により失火の検出が行われるが、失火の検出については、前述の点火制御装置による点火コイルの制御が行われることが前提である。Ｓ８０１にて失火が検出された場合、Ｓ８０２に進み、前記第１点火時期にて点火を行っている一次コイルを特定する。次にＳ８０３は、各一次コイル毎に備わるカウンタにより、失火回数がカウントアップされるが、これは、Ｓ８０２にて特定された一次コイルのカウンタに限る。Ｓ８０４で、そのカウンタ値（失火回数）が予め設定された所定値以上になった否かを判断する。Ｓ８０４で所定値以上であると判断した場合は、Ｓ８０５により、該当する一次コイル側に異常があると判断する。
【００２２】
図９は、本発明にかかる実施例のフローチャートの一例である。Ｓ９０１は、前述した制御装置と同様に、一方の一次コイルで異常を検出したかを判断する。Ｓ９０１で一次コイルの異常を特定した場合、Ｓ９０２にて、点火コイル診断モードの中断を決定する。前述までの点火制御装置では、点火コイル内の一次コイルに異常があった場合、直ちに正常である一次コイルのみを使用することに目的があり、点火コイル診断モード中では、異常のある一次コイルを使用するため、これを禁止することを指す。図６を用いて更に説明すると、Ｓ６０３によって、点火コイル診断モードを行うかを判断し、Ｓ６０４にて点火コイル診断モードを実施するが、点火コイル診断モード中の中断と判断された以後は、Ｓ６０３の点火コイル診断の実行判断は行われず、常にＳ６０５のステップを実行することになる。
【００２３】
図１０は、本発明にかかる実施例におけるフローチャートの一例である。Ｓ１００１において、一方の一次コイルで異常を特定したか否か判断する。詳しくは概述であるため、省略する。Ｓ１００１で一方の一次コイルに起因する失火を検出した場合、Ｓ９０２へ進み、以後は異常のある一次コイル側の使用を禁止する。この制御により、点火コイルに起因する失火を検出した場合、正常な一次コイルのみを使用した通常点火領域における点火制御のみが行われることになる。
【００２４】
図１１は、本発明にかかる実施例におけるフローチャートの一例である。Ｓ１１０１において、一方の一次コイルで異常を特定したか否か判断する。詳しくは概述であるため、省略する。Ｓ１００１で一方の一次コイル側で異常を特定した場合、Ｓ１１０２へ進み、以後は点火強化領域での内燃機関の運転を禁止する。これは、点火強化領域が成立するためには、点火コイル本体内に２つ以上備わる一次コイルを２つ以上から電気エネルギを点火プラグへ供給することが前提となる点火制御装置において、異常が検出された一次コイルの使用を禁止した場合、前記点火強化領域での燃焼が成立しなくなることを防止する目的である。
【００２５】
図１２は、本発明にかかる実施例におけるフローチャートの一例である。既述の制御装置においては、一方の一次コイル側で異常を特定した場合、以後は点火強化領域での内燃機関の運転を禁止するが、ここでは、予め設定された特定気筒における一次コイルの異常を特定した場合、前記点火強化領域の運転を継続することを特徴とする。制御の流れでは、Ｓ１２０１で失火を検出した場合、Ｓ１２０２へ進み、予め設定された気筒の一次コイル側に異常があった場合は、Ｓ１２０３の点火強化領域を禁止するステップへ進まない。これは、多気筒の内燃機関において、点火強化領域の運転中でも、気筒によって燃焼状態が異なる特性を持ち、他の気筒に対し、燃焼が良好な気筒が存在する場合がある。この場合、気筒により点火強化の要求が低い場合があるため、特定気筒を予め設定し、特定気筒で点火強化ができない状態においても、点火強化領域での運転を継続することを意味する。つまり、点火強化領域の運転中において、一方の一次コイルから供給される電気エネルギのみでも、内燃機関の燃焼が良好に行える気筒においては、一方の一次コイルに異常がある場合でも、特に運転条件や運転領域を限定することがないことを特徴とする。
【００２６】
図１３及び図１４を用いて説明を行う。図１３は、点火強化領域となる具体例を示した表で、内燃機関の性能（排気性能，燃費性能，出力性能など）を向上させるために、内燃機関の制御上で必要となる運転領域または運転条件を示したものである。左側は、内燃機関の運転領域または運転条件（１３０１）を記載し、右列には、それぞれの内燃機関の運転領域または運転条件を成立させる制御パラメータ（１３０２）を記載している。よって、点火強化領域を成立させるために、コントロールユニットは、この制御パラメータ（１３０２）に基づき、内燃機関の制御を行うが、その際、コントロールユニットは、それぞれの制御パラメータ（１３０２）の制御量を変化させることで、内燃機関が得ることができる効果代を調整する。点火制御は、この制御パラメータ（１３０２）の制御量に基づき、放電エネルギの増減を行うことになるため、点火コイルの異常を特定した際には、それぞれの点火強化領域に関わる制御パラメータ（１３０２）の制御量を制限することで、正常な一次コイル側から供給される電気エネルギだけで、燃焼が成立する制御パラメータ（１３０２）の制御量に制限を設け、内燃機関の燃焼を良好に行うことを目的とする。制御の流れは、図１４を用いて説明を行う。Ｓ１４０１で一方の一次コイルの異常を特定した場合、Ｓ１４０２へ進み、Ｓ１４０２により、予め設定された図１３の各制御パラメータ（図１３内１３０２）の制御量に基づき、制御量に制限を設ける。これにより、点火コイルから供給される電気エネルギに応じた範囲内で、内燃機関の制御が実施されるため、内燃機関は良好な燃焼を継続することができる。
【符号の説明】
【００２７】
１０１  点火信号
１０２  一次電流
１０３  二次電圧
１０４  二次電流
１０５  電流パターン
１０６  通電時間
１０７  点火時期
１０８  一次遮断電流
１０９  放電持続時間
１１０  二次電流ピーク値
１１１，３０３，３０４  放電エネルギ
２０１  点火コイル本体
２０２  電源
２０３，２０４  ライン
２０５  ＧＮＤ
２０６ａ，２０６ｂ  一次コイル
２０７ａ，２０７ｂ  二次コイル
２０８ａ，２０８ｂ  トランジスタＩＣ
２０９  点火プラグ
３０１  点火信号ａ
３０２  点火信号ｂ
３０５  合成放電エネルギ
３０６  点火時期Ａ
３０７  点火時期Ｂ
３０８  点火時期Ｃ
３０９  点火時期Ｄ
３１１  足した値
１３０１  運転条件
１３０２  制御パラメータ
【図１】
2011069232.tif 000003
【図２】
2011069232.tif 000004
【図３】
2011069232.tif 000005
【図４】
2011069232.tif 000006
【図５】
2011069232.tif 000007
【図６】
2011069232.tif 000008
【図７】
2011069232.tif 000009
【図８】
2011069232.tif 000010
【図９】
2011069232.tif 000011
【図１０】
2011069232.tif 000012
【図１１】
2011069232.tif 000013
【図１２】
2011069232.tif 000014
【図１３】
2011069232.tif 000015
【図１４】
2011069232.tif 000016